(57)【要約】【課題】設定操作の利便性を向上させる。【解決手段】情報処理装置は、ファクシミリ装置に印刷データをファクス送信させる機能を有し、ユーザの操作を受け付ける操作部と、操作部により受け付けられた操作に基づいて設定を行うための設定画面を表示させる設定画面表示部と、設定画面を介してなされた設定に基づいてファクス送信における出力イメージを示すプレビュー画面を表示させるプレビュー表示部と、設定画面を介して入力された設定値を記憶する記憶部と、を備える。設定画面表示部は、プレビュー画面においてキャンセル操作が行われた場合に、記憶部に記憶された設定値の少なくとも一部が反映された設定画面を表示させる。【選択図】図３
2020108134.tif 000002
【特許請求の範囲】
【請求項１】
ファクシミリ装置に印刷データをファクス送信させる機能を有する情報処理装置であって、
ユーザの操作を受け付ける操作部と、
前記操作部により受け付けられた操作に基づいて設定を行うための設定画面を表示させる設定画面表示部と、
前記設定画面を介してなされた設定に基づいて前記ファクス送信における出力イメージを示すプレビュー画面を表示させるプレビュー表示部と、
前記設定画面を介して入力された設定値を記憶する記憶部と、
を備え、
前記設定画面表示部は、前記プレビュー画面においてキャンセル操作が行われた場合に、前記記憶部に記憶された前記設定値の少なくとも一部が反映された前記設定画面を表示させる、
情報処理装置。
【請求項２】
前記設定画面表示部は、前記印刷データに関する設定を行うための印刷設定画面と、前記ファクス送信に関する設定を行うための送信設定画面とを表示させ、前記キャンセル操作が行われた場合に、前記記憶部に記憶された前記設定値の少なくとも一部が反映された前記送信設定画面を表示させる、
請求項１に記載の情報処理装置。
【請求項３】
前記プレビュー画面は、前記記憶部に記憶された前記設定値の少なくとも一部が反映された前記設定画面を表示させるための第１のキャンセル操作部と、前記ファクス送信のジョブを中止させるための第２のキャンセル操作部とを含む、
請求項２に記載の情報処理装置。
【請求項４】
ファクシミリ装置に印刷データをファクス送信させるための情報処理方法であって、
ユーザの操作を受け付ける工程と、
前記ユーザによりなされた操作に基づいて設定を行うための設定画面を表示させる工程と、
前記設定画面を介してなされた設定に基づいて前記ファクス送信における出力イメージを示すプレビュー画面を表示させる工程と、
前記設定画面を介して入力された設定値を記憶装置に記憶させる工程と、
前記プレビュー画面においてキャンセル操作が行われた場合に、前記記憶装置に記憶された前記設定値の少なくとも一部が反映された前記設定画面を表示させる工程と、
を含む情報処理方法。
【請求項５】
ファクシミリ装置に印刷データをファクス送信させるコンピュータに、
ユーザの操作を受け付ける処理と、
前記ユーザによりなされた操作に基づいて設定を行うための設定画面を表示させる処理と、
前記設定画面を介してなされた設定に基づいて前記ファクス送信における出力イメージを示すプレビュー画面を表示させる処理と、
前記設定画面を介して入力された設定値を記憶装置に記憶させる処理と、
前記プレビュー画面においてキャンセル操作が行われた場合に、前記記憶装置に記憶された前記設定値の少なくとも一部が反映された前記設定画面を表示させる処理と、
を実行させるプログラム。
【発明の詳細な説明】
【技術分野】
【０００１】
本発明は、情報処理装置、情報処理方法、及びプログラムに関する。
【背景技術】
【０００２】
ファクシミリ機能を有するファクシミリ装置に印刷データをファクス送信させる技術（ＰＣ−ＦＡＸ送信）が利用されている。このような技術において、送信内容を示すプレビュー画面を送信前に表示し、ユーザに送信可否の確認を求める機能が利用されている。
【０００３】
例えば、プレビュー画面を表示させる機能を有する装置において、プレビュー画面でキャンセルが指示された場合に、ファクス送信のジョブ自体をキャンセルする構成が開示されている（特許文献１）。
【発明の概要】
【発明が解決しようとする課題】
【０００４】
従来技術においては、プレビュー画面でキャンセルが指示され、ジョブ自体がキャンセルされると、それまでに設定された設定値（例えば宛先、用紙サイズ等）が失われる。そのため、ユーザは同様の設定操作を繰り返す必要がある。
【０００５】
本発明は上記に鑑みてなされたものであって、設定操作の利便性を向上させることを目的とする。
【課題を解決するための手段】
【０００６】
上述した課題を解決し、目的を達成するために、本発明の一態様は、ファクシミリ装置に印刷データをファクス送信させる機能を有する情報処理装置であって、ユーザの操作を受け付ける操作部と、前記操作部により受け付けられた操作に基づいて設定を行うための設定画面を表示させる設定画面表示部と、前記設定画面を介してなされた設定に基づいて前記ファクス送信における出力イメージを示すプレビュー画面を表示させるプレビュー表示部と、前記設定画面を介して入力された設定値を記憶する記憶部と、を備え、前記設定画面表示部は、前記プレビュー画面においてキャンセル操作が行われた場合に、前記記憶部に記憶された前記設定値の少なくとも一部が反映された前記設定画面を表示させる、ことを特徴とする。
【発明の効果】
【０００７】
本発明によれば、設定操作の利便性を向上させることができる。
【図面の簡単な説明】
【０００８】
【図１】図１は、第１の実施形態に係るデータ送信システムのシステム構成の一例を示す図である。
【図２】図２は、第１の実施形態に係るＰＣのハードウェア構成の一例を示す図である。
【図３】図３は、第１の実施形態に係るＰＣの機能構成の一例を示す図である。
【図４】図４は、第１の実施形態に係るＰＣにおける処理の一例を示すフローチャートである。
【図５】図５は、第１の実施形態に係るＰＣのソフトウェア構成の一例を示す図である。
【図６】図６は、第１の実施形態に係るプリンタドライバによる処理の一例を概念的に示す図である。
【図７】図７は、第１の実施形態に係る送信設定画面の一例を示す図である。
【図８】図８は、第１の実施形態に係るプレビュー画面の一例を示す図である。
【図９】図９は、第１の実施形態に係るＰＣに表示される画面の遷移の一例を示す図である。
【図１０】図１０は、第１の実施形態に係るプリンタドライバによる処理の一例を示すシーケンス図である。
【図１１】図１１は、第２の実施形態に係るプレビュー画面の一例を示す図である。
【図１２】図１２は、第２の実施形態に係るＰＣにおける処理の一例を示すフローチャートである。
【発明を実施するための形態】
【０００９】
以下に、図面を参照しながら本発明に係る情報処理装置、情報処理方法、及びプログラムの実施形態を詳細に説明する。
【００１０】
（第１の実施形態）
図１は、第１の実施形態に係るデータ送信システム１のシステム構成の一例を示す図である。本実施形態に係るデータ送信システム１は、ＭＦＰ（Multifunction  Peripheral）１１，１２及びＰＣ（Personal  Computer）１３を含む。
【００１１】
ＭＦＰ１１，１２は、印刷機能、複写機能、スキャン機能、ファクシミリ機能等を複合的に有する装置である。ＭＦＰ１１，１２は、ファクシミリ機能を有する「ファクシミリ装置」の一例である。
【００１２】
ＰＣ１３は、ユーザによる操作を受け付け、ＭＦＰ１１，１２を制御するための処理を行う。ＰＣ１３は、ＭＦＰ１１，１２（ファクシミリ装置）に印刷データをファクス送信させる機能を有する「情報処理装置」の一例である。ＰＣ１３の具体的構成は特に限定されるべきものではないが、例えばデスクトップコンピュータ、ノート型コンピュータ、タブレット端末、スマートフォン等の汎用コンピュータであり得る。なお、「情報処理装置」は、汎用コンピュータであることに限定されるものではなく、印刷データをファクス送信する機能に特化した専用端末であってもよい。
【００１３】
ＭＦＰ１１，１２、ＰＣ１３、及び他のファクシミリ装置（ＭＦＰ１１，１２からファクス送信されたデータを受信する装置）は、適宜な通信経路１４を介して通信可能に接続されている。通信経路１４の具体的構成は特に限定されるべきものではないが、例えば、Ｅｔｈｅｒｎｅｔ（登録商標）、ＵＳＢ（Universal  Serial  Bus）、無線ＬＡＮ（Local  Area  Network）、インターネット、公衆交換電話網等を利用したものであり得る。なお、ＰＣ１３やＭＦＰ１１，１２の接続台数は上記に限られるものではなく、使用状況に応じて任意に決定されるべきものである。
【００１４】
図２は、第１の実施形態に係るＰＣ１３のハードウェア構成の一例を示す図である。ＰＣ１３は、ＣＰＵ（Central  Processing  Unit）２１、ＲＯＭ（Read  Only  Memory）２２、ＲＡＭ（Random  Access  Memory）２３、記憶装置２４、外部Ｉ／Ｆ（Interface）２５、通信装置２６、入力装置２７、及び表示制御部２８を含む。
【００１５】
ＣＰＵ２１は、プログラムに従って各種演算処理を行い、ＰＣ１３全体の動作を制御する。ＲＯＭ２２は、読み出し専用の不揮発性記憶媒体であり、ファームウェア等のプログラムを格納している。ＲＡＭ２３は、情報の高速な読み書きが可能な揮発性の記憶媒体であり、ＣＰＵ２１が演算処理を行う際の作業領域として用いられる。記憶装置２４は、情報の読み書きが可能な不揮発性の記憶媒体であり、ＯＳ（Operating  System）、制御プログラム、アプリケーション・プログラム等を格納している。外部Ｉ／Ｆ２５は、外部の記憶媒体３１との間で情報の読み書きを可能にするデバイスである。通信装置２６は、通信経路１４を介してＭＦＰ１１，１２等の外部装置との間で通信を確立するためのデバイスである。入力装置２７は、ユーザによる入力操作を受け付けるユーザインターフェースであり、例えばキーボード、マウス、タッチパネル機構等であり得る。表示制御部２８は、視覚的ユーザインターフェースであるディスプレイ３５における画像の表示を制御するデバイスである。
【００１６】
なお、図２に示すハードウェア構成は例示であり、ＰＣ１３（情報処理装置）の具体的なハードウェア構成は公知又は新規な技術を適宜利用して構成され得るものである。
【００１７】
図３は、第１の実施形態に係るＰＣ１３の機能構成の一例を示す図である。ＰＣ１３は、操作部１０１、設定画面表示部１０２、プレビュー画面表示部１０３、記憶部１０４、及び送信処理部１０５を含む。
【００１８】
操作部１０１は、ユーザによる印刷又はファクシミリに関する操作を受け付ける。操作部１０１は、例えばＣＰＵ２１、入力装置２７、表示制御部２８等の協働により構成される。
【００１９】
設定画面表示部１０２は、ユーザに印刷又はファクシミリに関する設定操作を行わせるための設定画面を所定の表示装置（ディスプレイ３５等）に表示させる。設定画面表示部１０２は、例えばＣＰＵ２１、表示制御部２８等の協働により構成される。
【００２０】
プレビュー画面表示部１０３は、ファクス送信が実行される前に送信内容を示すプレビュー画面を所定の表示装置（ディスプレイ３５等）に表示させる。プレビュー画面表示部１０３は、例えばＣＰＵ２１、表示制御部２８等の協働により構成される。
【００２１】
記憶部１０４は、設定画面を介して入力された設定値を記憶する。記憶部１０４は、例えばＣＰＵ２１、記憶装置２４等の協働により構成される。
【００２２】
送信処理部１０５は、設定画面及びプレビュー画面から取得した情報に基づいてＭＦＰ１１，１２にファクス送信を行わせるための処理を行う。送信処理部１０５は、例えばＣＰＵ２１、通信装置２６等の協働により構成される。
【００２３】
プレビュー画面は、ユーザによるキャンセル操作を受け付けられるように構成される。設定画面表示部１０２は、プレビュー画面においてキャンセル操作がなされた場合に、記憶部１０４に記憶されている設定値の少なくとも一部が反映された設定画面を表示させる。これにより、キャンセル操作がなされた場合にユーザが同様の設定操作を繰り返し行う手間を省くことができる。
【００２４】
図４は、第１の実施形態に係るＰＣ１３における処理の一例を示すフローチャートである。設定画面表示部１０２が設定画面を表示させると（Ｓ１０１）、ユーザは操作部１０１を操作して印刷データ（ファクス送信の対象となるドキュメント等）を入力し（Ｓ１０２）、ファクス送信に関する設定値（例えば宛先、用紙サイズ等）を入力する（Ｓ１０３）。記憶部１０４は、入力された印刷データ及び設定値を記憶する（Ｓ１０４）。プレビュー画面表示部１０３は、入力された印刷データ及び設定値に基づいて、ファクス送信の内容を示すプレビュー画面を表示させる（Ｓ１０５）。
【００２５】
操作部１０１は、プレビュー画面においてファクス送信を実行させる実行操作又はファクス送信を中断させるキャンセル操作のどちらが行われたかを判定する（Ｓ１０６）。実行操作が行われた場合（Ｓ１０６：実行）、送信処理部１０５は印刷データを設定値が示す宛先にファクス送信し（Ｓ１０７）、記憶部１０４に記憶された設定値が破棄される（Ｓ１０８）。
【００２６】
一方、キャンセル操作が行われた場合（Ｓ１０６：キャンセル）、設定画面表示部１０２は記憶部１０４に記憶された設定値を読み出し（Ｓ１０９）、読み出した設定値の少なくとも一部が反映された設定画面を表示させる（Ｓ１１０）。その後、記憶部１０４に記憶された設定値が破棄され（Ｓ１１１）、再びステップＳ１０２以降の処理（印刷データ及び設定値の再設定）が行われる。
【００２７】
上記処理によれば、再設定時における設定画面は前回入力した設定値の少なくとも一部が含まれた状態で表示されるため、ユーザによる再設定操作を簡略化することができる。なお、「前回入力した設定値の少なくとも一部」とは、例えば、全部の設定値を引き継ぐものも含まれる。また、「前回入力した設定値の少なくとも一部」とは、例えば、設定値の一部を引き継ぐものも含まれる。「前回入力した設定値の少なくとも一部」の具体例としては、例えば、用紙サイズなどの設定は引き継ぐが、宛先は破棄するなどが挙げられる。なお、上記においてはキャンセル時に設定値だけでなく印刷データも再設定（再入力）する例を示したが、印刷データも記憶部１０４に記憶させておき、キャンセル時における印刷データの再設定操作を省略できるようにしてもよい。
【００２８】
図５は、第１の実施形態に係るＰＣ１３のソフトウェア構成の一例を示す図である。ＰＣ１３にインストールされたソフトウェア（プログラム）には、アプリケーション２０１、プリンタドライバ２０２、ストアデバイスアプリ２０３、及び通信モジュール２０４が含まれている。
【００２９】
アプリケーション２０１は、印刷機能、ファクス送信機能等を利用する際のユーザインターフェースを構成する。プリンタドライバ２０２は、ＭＦＰ１１，１２を操作する際のＰＣ１３の動作を制御するシステムソフトウェアである。ストアデバイスアプリ２０３は、ＰＣ１３に接続されたＭＦＰ１１，１２から取得されインストールされるアプリケーションである。通信モジュール２０４は、印刷データをＭＦＰ１１，１２にファクス送信させるためのソフトウェアである。
【００３０】
プリンタドライバ２０２は、設定モジュール２１１、禁則スクリプトモジュール２１２、及び描画モジュール２１３を含む。設定モジュール２１１は、各種設定操作に関する処理を行う。本実施形態に係る設定操作には、印刷データに関する設定を行う印刷設定と、ファクス送信に関する設定を行う送信設定とが含まれる。禁則スクリプトモジュール２１２は、禁則処理に関する制御を行う。描画モジュール２１３は、設定画面及びプレビュー画面の描画に関する処理を行う。
【００３１】
図６は、第１の実施形態に係るプリンタドライバ２０２による処理の一例を概念的に示す図である。ユーザがアプリケーション２０１を介して印刷ジョブを開始する操作を行うと（Ｓ２０１）、プリンタドライバ２０２の描画モジュール２１３は所定の表示装置（ディスプレイ３５）に設定画面を表示させる（Ｓ２０２）。本実施形態に係る設定画面には、印刷設定を行うための印刷設定画面と、送信設定を行うための送信設定画面とが含まれる。
【００３２】
ユーザが設定画面を介してファクス送信される印刷データ及びファクス送信に関する設定値を入力すると、印刷データ及び設定値が所定の保存領域２２１（記憶装置２４）に保存される（Ｓ２０３及びＳ２０４）。保存領域２２１はローカルファイル、レジストリ等であり得る。Ｖ４ドライバではPropertyBag（例えばUserPropertyBag、QueuePropertyBag等)を使用することができる。
【００３３】
その後、描画モジュール２１３は印刷データ及び設定値に基づいてプレビュー画面を表示させる（Ｓ２０５）。ユーザがプレビュー画面においてキャンセル操作を行うと（Ｓ２０６）、描画モジュール２１３は保存領域２２１に保存されている設定値を読み出し（Ｓ２０７）、読み出した設定値の少なくとも一部が反映された設定画面を表示させる（Ｓ２０２）。
【００３４】
図７は、第１の実施形態に係る送信設定画面３０３の一例を示す図である。ここで例示する送信設定画面３０３には、宛先を設定する入力部（Address  Book）、添付ファイルを設定する入力部（Send  Options）、送付状を設定する入力部（Cover  Sheet）等が含まれている。なお、図７は単なる例示であり、送信設定画面の構成は使用状況に応じて適宜設計されるべきものである。
【００３５】
図８は、第１の実施形態に係るプレビュー画面３０４の一例を示す図である。ここで例示するプレビュー画面３０４には、ファクス送信における出力イメージを表示するイメージ表示部３２１と、ファクス送信を実行させるＯＫボタン３２２と、ファクス送信を中断させるキャンセルボタン３２３とが含まれている。
【００３６】
図９は、第１の実施形態に係るＰＣ１３に表示される画面の遷移の一例を示す図である。図９において、印刷アプリケーション画面３０１、印刷設定画面３０２、送信設定画面３０３、及びプレビュー画面３０４が例示されている。
【００３７】
印刷アプリケーション画面３０１は、ユーザが指定したドキュメントを印刷するアプリケーションを起動させたときに表示される画面である。ここで例示する印刷アプリケーション画面３０１は、印刷設定を行うための印刷設定画面３０２と、送信設定を行うための送信設定画面３０３とをそれぞれ呼び出せるように構成されている。
【００３８】
印刷の場合には、印刷アプリケーション画面３０１に設けられた印刷ボタン３１１を押す前に、印刷設定画面３０２において全ての設定をすることになる。なお、印刷設定画面３０２に設けられたキャンセルボタン３１２が押された場合には、それまでに設定された設定値（例えば、用紙サイズ等）が失われることになる。
【００３９】
印刷設定画面３０２を介して行われる印刷設定により、ファクス送信の対象となる印刷データが設定される。印刷設定画面３０２の具体的構成は特に限定されるべきものではないが、例えばドキュメント、用紙向き、用紙サイズ、解像度等の設定が可能に構成されてもよい。また、図７において例示したような送信設定画面３０３を介して行われる送信設定により、ファクス送信に関する設定値が設定される。
【００４０】
プレビュー画面３０４に設けられたＯＫボタン３２２が押された場合には、それまでになされた印刷設定及び送信設定に基づいてファクス送信が実行される。一方、キャンセルボタン３２３が押された場合には、再度送信設定が行われる（再度印刷設定が行われてもよい）。
【００４１】
ところで、上述したように、ファクス送信の場合、印刷ボタン３１１を押す前に印刷設定画面３０２にて行う設定と、印刷ボタン３１１を押下後に送信設定画面３０３にて行う設定とに分かれている。
【００４２】
従来、プレビュー画面３０４に設けられたキャンセルボタン３２３が押された場合、印刷ボタン３１１を押下した後にキャンセルされるということであり、印刷ボタン３１１の押下により開始されたジョブ自体のキャンセルであると認識し、ジョブ自体をキャンセル終了していた。
【００４３】
しかしながら、実際には、送信設定画面３０３を介して行われるファクス送信に関する設定（例えば、宛先等）の入力ミスがプレビュー画面３０４で発覚した場合にキャンセルボタン３２３を押下するというユースケースが多い。そのため、ジョブ自体をキャンセルしてしまうと、送信設定画面３０３で入力したファクス送信に関する設定（例えば、宛先等）を再度入力しなおさなくてはならない、という問題が生じていた。
【００４４】
そこで、本実施形態においては、プレビュー画面３０４に設けられたキャンセルボタン３２３が押された場合には、送信設定画面３０３で既に入力したファクスの送信設定における設定値の少なくとも一部が反映された送信設定画面３０３が表示される。例えば、キャンセルボタン３２３を押した後に表示される送信設定画面３０３は、キャンセルボタン３２３を押す前に入力した宛先、認証情報、送付状、又は添付ファイルのうちの少なくとも１つが既に入力された状態で表示されてもよい。これにより、ユーザは同じ設定値を繰り返し入力する手間を省くことができる。
【００４５】
図１０は、第１の実施形態に係るプリンタドライバ２０２による処理の一例を示すシーケンス図である。ユーザがアプリケーション２０１を介して印刷を実行する操作を行うと（１）、アプリケーション２０１は描画モジュール２１３に対して印刷開始を指示する（１．１）。描画モジュール２１３は印刷開始の指示を受け取ると、送信設定画面３０３を表示させる（１．１．１）。設定モジュール２１１はユーザが送信設定画面３０３を介して入力したファクス送信に関する設定値を取得する（１．１．１．１）。取得された設定値は保存領域２２１に保存される（１．１．２）。
【００４６】
その後、描画モジュール２１３はユーザが印刷設定画面３０２を介して入力した情報に基づいて印刷データを生成する（１．１．３）。生成された印刷データは保存領域２２１に保存される（１．１．３．１）。その後、描画モジュール２１３は印刷データ及び設定値に基づいてプレビュー画面３０４を表示させる（１．１．４）。
【００４７】
以下では、プレビュー画面３０４においてキャンセル操作が行われた場合について説明する。この場合、描画モジュール２１３は保存領域２２１から設定値を読み出し（１．１．５）、読み出した設定値の少なくとも一部が反映された送信設定画面３０３を表示させる（１．１．６）。そして、設定モジュール２１１はユーザが当該送信設定画面３０３を介して入力した設定値を再取得し（１．１．６．１）、１．１．３以降の処理が再度実行される。なお、プレビュー画面３０４において実行操作が行われた場合には、プレビュー画面３０４に表示された内容でファクス送信が実行される。
【００４８】
以上のように、本実施形態によれば、キャンセル操作がなされた場合に、それまでに入力された設定値の少なくとも一部が反映された設定画面が表示される。これにより、ユーザに同様の設定操作を繰り返し行わせることを避けることができ、設定操作の利便性を向上させることができる。
【００４９】
以下に他の実施形態について図面を参照して説明するが、第１の実施形態と実質的に同一の箇所については同一の符号を付してその説明を省略する場合がある。
【００５０】
（第２の実施形態）
図１１は、第２の実施形態に係るプレビュー画面３０４の一例を示す図である。本実施形態に係るプレビュー画面３０４には、ファクス送信における出力イメージを表示するイメージ表示部３２１と、ファクス送信を実行させるＯＫボタン３２２と、画面を送信設定画面３０３に戻すための戻るボタン４０１（第１のキャンセル操作部）と、ファクス送信のジョブを中止するジョブキャンセルボタン４０２（第２のキャンセル操作部）とが含まれている。
【００５１】
本実施形態に係る戻るボタン４０１は、第１の実施形態に係るキャンセルボタン３２３（図８参照）と同様の機能を有する操作部である。すなわち、戻るボタン４０１が押された場合には、記憶部１０４に記憶されている設定値の少なくとも一部が反映された送信設定画面３０３が表示される。
【００５２】
ジョブキャンセルボタン４０２は、第１の実施形態に係るプレビュー画面３０４にはなかった操作部であり、ファクス送信のジョブを中止させる機能を有するものである。プレビュー画面３０４が表示されているときにジョブキャンセルボタン４０２が押されることにより、記憶部１０４（保存領域２２１）に記憶されている印刷データ及び設定値を全て破棄し、ファクス送信処理を終了させることができる。
【００５３】
図１２は、第２の実施形態に係るＰＣ１３における処理の一例を示すフローチャートである。設定画面表示部１０２が設定画面を表示させると（Ｓ３０１）、ユーザは操作部１０１を操作して印刷データを入力し（Ｓ３０２）、ファクス送信に関する設定値を入力する（Ｓ３０３）。記憶部１０４は、入力された印刷データ及び設定値を記憶する（Ｓ３０４）。プレビュー画面表示部１０３は、入力された印刷データ及び設定値に基づいて、ファクス送信の内容を示すプレビュー画面を表示させる（Ｓ３０５）。
【００５４】
操作部１０１は、プレビュー画面においてファクス送信を実行させる実行操作（ＯＫボタン３２２の押下）が行われたか否かを判定する（Ｓ３０６）。実行操作が行われた場合（Ｓ３０６：Ｙｅｓ）、送信処理部１０５は印刷データを設定値が示す宛先にファクス送信するようにＭＦＰ１１，１２を制御し（Ｓ３０７）、記憶部１０４に記憶された設定値が破棄される（Ｓ３０８）。
【００５５】
一方、実行操作が行われなかった場合（Ｓ３０６：Ｎｏ）、操作部１０１は、送信設定に戻る操作（戻るボタン４０１の押下）又はジョブをキャンセルする操作（ジョブキャンセルボタン４０２の押下）のどちらが行われたかを判定する（Ｓ３０９）。送信設定に戻る操作が行われた場合（Ｓ３０９：戻る）、設定画面表示部１０２は記憶部１０４に記憶された設定値を読み出し（Ｓ３１０）、読み出した設定値の少なくとも一部が反映された設定画面を表示させる（Ｓ３１１）。その後、記憶部１０４に記憶された設定値が破棄され（Ｓ３１２）、再びステップＳ３０２以降の処理（印刷データ及び設定値の再設定）が行われる。
【００５６】
一方、ジョブをキャンセルする操作が行われた場合（Ｓ３０９：ジョブキャンセル）、記憶部１０４に記憶された印刷データ及び設定値が破棄され（Ｓ３１３）、処理フローが終了する。
【００５７】
本実施形態によれば、プレビュー画面からキャンセルを行う際に、記憶された設定値の少なくとも一部が反映された設定画面を用いて再設定を行うか、ジョブ自体を中止させるかを、ユーザが選択できるようになる。これにより、設定操作の利便性を更に向上させることができる。
【００５８】
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Application  Specific  Integrated  Circuit）、ＤＳＰ（Digital  Signal  Processor）、ＦＰＧＡ（Field  Programmable  Gate  Array）や従来の回路モジュール等のデバイスを含むものとする。
【００５９】
上記で説明した実施形態の各機能の少なくとも一部がプログラムの実行によって実現される場合、プログラムは適宜な記憶装置に予め組み込まれて提供される。また、プログラムはインストール可能な形式又は実行可能な形式のファイルでＣＤ−ＲＯＭ、フレキシブルディスク（ＦＤ）、ＣＤ−Ｒ、ＤＶＤ等のコンピュータで読み取り可能な記録媒体に記録して提供されてもよい。また、プログラムはインターネット等のネットワークに接続されたコンピュータ上に格納され、ネットワーク経由でダウンロードさせることにより提供され得るように構成されてもよい。また、プログラムはインターネット等のネットワーク経由で提供又は配布され得るように構成されてもよい。また、プログラムは上述した各機能の少なくとも一部を含むモジュール構成となっていてもよい。
【００６０】
以上、本発明の実施形態を説明したが、上記実施形態は例として提示したものであり、発明の範囲を限定することを意図するものではない。上記新規な実施形態はその他の様々な形態で実施されることが可能であり、発明の要旨を逸脱しない範囲で種々の省略、置き換え、変更を行うことができる。上記実施形態及びその変形は発明の範囲及び要旨に含まれるとともに、特許請求の範囲に記載された発明とその均等の範囲に含まれる。
【符号の説明】
【００６１】
１  データ送信システム
１１，１２  ＭＦＰ（ファクシミリ装置）
１３  ＰＣ（情報処理装置）
１４  通信経路
２１  ＣＰＵ
２２  ＲＯＭ
２３  ＲＡＭ
２４  記憶装置
２５  外部Ｉ／Ｆ
２６  通信装置
２７  入力装置
２８  表示制御部
３１  記憶媒体
３５  ディスプレイ
１０１  操作部
１０２  設定画面表示部
１０３  プレビュー画面表示部
１０４  記憶部
１０５  送信処理部
２０１  アプリケーション
２０２  プリンタドライバ
２０３  ストアデバイスアプリ
２０４  通信モジュール
２１１  設定モジュール
２１２  禁則スクリプトモジュール
２１３  描画モジュール
２２１  保存領域
３０１  印刷アプリケーション画面
３０３  送信設定画面
３０４  プレビュー画面
３２１  イメージ表示部
３２２  ＯＫボタン
３２３  キャンセルボタン
４０１  戻るボタン（第１のキャンセルボタン）
４０２  ジョブキャンセルボタン（第２のキャンセルボタン）
【先行技術文献】
【特許文献】
【００６２】
【特許文献１】特開２０００−２０７０８４号公報
【図１】
2020108134.tif 000003
【図２】
2020108134.tif 000004
【図３】
2020108134.tif 000005
【図４】
2020108134.tif 000006
【図５】
2020108134.tif 000007
【図６】
2020108134.tif 000008
【図７】
2020108134.tif 000009
【図８】
2020108134.tif 000010
【図９】
2020108134.tif 000011
【図１０】
2020108134.tif 000012
【図１１】
2020108134.tif 000013
【図１２】
2020108134.tif 000014